(57)【要約】【課題】外部電源の停電時においても点灯可能で且つ器具全体の長さ寸法が長くなるのを抑えた照明器具を提供する。【解決手段】器具本体１は、長尺状に形成され、光源ユニット２の少なくとも一部が収容される収容凹部１１を造営材と反対側に有する。非常用光源部３は、非常用光源３１と、非常用電源３３と、電源装置３２とを有する。非常用電源３３は、外部電源の停電時に電力を供給する。電源装置３２は、外部電源が正常に供給されている状態では外部電源により非常用電源３３を充電し、外部電源が停電になると非常用電源３３により非常用光源３１を点灯させる。そして、非常用光源３１は、器具本体１の長手方向における一端部に配置され、非常用電源３３及び電源装置３２は、器具本体１の収容凹部１１内で且つ光源ユニット２と干渉しない位置に配置される。【選択図】図１
2015088433.tif 000002
【特許請求の範囲】
【請求項１】
長尺状に形成され造営材に取り付けられる器具本体と、前記器具本体に対して着脱自在に取り付けられる光源ユニットと、前記器具本体に取り付けられ外部電源の停電時に点灯する非常用光源部と、を備え、
前記器具本体は、前記光源ユニットの少なくとも一部が収容される収容凹部を前記造営材と反対側に有し、
前記非常用光源部は、非常用光源と、前記外部電源の停電時に電力を供給する非常用電源と、前記外部電源が正常に供給されている状態では前記外部電源により前記非常用電源を充電し、前記外部電源が停電になると前記非常用電源により前記非常用光源を点灯させる電源装置と、を有し、
前記非常用光源は、前記器具本体の長手方向における一端部に配置され、
前記非常用電源及び前記電源装置は、前記収容凹部内で且つ前記光源ユニットと干渉しない位置に配置されることを特徴とする照明器具。
【請求項２】
前記非常用光源は、前記光源ユニットの長手方向における前記非常用光源側の端部により前記非常用光源からの光が遮光されない位置に配置されることを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。特許文献１に記載された照明器具は、長尺且つ下面が開口する矩形箱状に形成された器具本体と、器具本体の長手方向における一端側に横並びに配置される非常灯ボックスとを備える。
【０００３】
器具本体の内部には、直管型の蛍光ランプと、蛍光ランプを点灯制御する安定器とが収納される。また、非常灯ボックスの内部には、蛍光ランプへの電源供給が遮断されたときに蛍光ランプへの電源となる蓄電池と、蓄電池から蛍光ランプへの電源供給を行う非常用点灯ブロックとが収納される。
【０００４】
この照明器具では、一般電源からの電源供給が正常に行われる通常時には、一般電源から供給される電源により蛍光ランプが点灯し、一般電源からの電源供給が遮断される停電時には、蓄電池に蓄積させた電源により蛍光ランプが点灯する。
【先行技術文献】
【特許文献】
【０００５】
【特許文献１】特開２０１１−１１３６５８号公報
【発明の概要】
【発明が解決しようとする課題】
【０００６】
上述の特許文献１に示した照明器具は、一般電源の停電時においても蓄電池に蓄積させた電源により蛍光ランプを点灯させることができる。しかしながら、この照明器具は、蛍光ランプが収納される器具本体と横並びに非常灯ボックスを設けた構造であり、器具全体の長さ寸法が長くなることから、既設の照明器具に対して交換できない場合があった。
【０００７】
本発明は上記問題点に鑑みて為されたものであり、その目的とするところは、外部電源の停電時においても点灯可能で且つ器具全体の長さ寸法が長くなるのを抑えた照明器具を提供することにある。
【課題を解決するための手段】
【０００８】
本発明の照明器具は、長尺状に形成され造営材に取り付けられる器具本体と、前記器具本体に対して着脱自在に取り付けられる光源ユニットと、前記器具本体に取り付けられ外部電源の停電時に点灯する非常用光源部と、を備え、前記器具本体は、前記光源ユニットの少なくとも一部が収容される収容凹部を前記造営材と反対側に有し、前記非常用光源部は、非常用光源と、前記外部電源の停電時に電力を供給する非常用電源と、前記外部電源が正常に供給されている状態では前記外部電源により前記非常用電源を充電し、前記外部電源が停電になると前記非常用電源により前記非常用光源を点灯させる電源装置と、を有し、前記非常用光源は、前記器具本体の長手方向における一端部に配置され、前記非常用電源及び前記電源装置は、前記収容凹部内で且つ前記光源ユニットと干渉しない位置に配置されることを特徴とする。
【０００９】
この照明器具において、前記非常用光源は、前記光源ユニットの長手方向における前記非常用光源側の端部により前記非常用光源からの光が遮光されない位置に配置されるのが好ましい。
【発明の効果】
【００１０】
本発明の構成によれば、器具本体の収容凹部内に非常用電源及び電源装置を配置しているので、器具本体の長手方向において器具本体外に非常用電源及び電源装置を配置した場合に比べて器具全体の長さ寸法を短くすることができるという効果がある。また、非常用光源部を備えているので、外部電源の停電時においても非常用光源を点灯させることができるという効果もある。
【図面の簡単な説明】
【００１１】
【図１】本実施形態の照明器具を示し、（ａ）は全体斜視図、（ｂ）は光源ユニットを取り外した状態の斜視図である。
【図２】同上の照明器具の分解斜視図である。
【図３】同上の照明器具の断面図である。
【図４】（ａ）、（ｂ）は同上の照明器具の一部拡大図である。
【図５】同上の照明器具を模式的に表した側面図である。
【図６】同上の別の照明器具の一部拡大図である。
【発明を実施するための形態】
【００１２】
以下に、照明器具１０の実施形態について図１〜図６を参照して説明する。なお、以下の説明では特に断りがない限り、図３に示す向きにおいて上下左右の方向を規定し、さらに図３中の紙面に垂直な方向を前後方向と規定して説明を行う。
【００１３】
本実施形態の照明器具１０は、天井直付け型の照明器具であって、吊ボルト２００（図３参照）を用いて天井材１００（造営材）に取り付けられる器具本体１と、器具本体１に対して着脱自在に取り付けられる光源ユニット２と、非常用光源部３とを備える。
【００１４】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。
【００１５】
また、収容凹部１１の底面部１１１には、電線を通すための孔１１１ａが前後方向（長手方向）に沿って複数（図２では５個）設けられており、さらに吊ボルト２００を通すための孔１１１ｂが前後方向における両端寄りの位置にそれぞれ２個ずつ設けられている。また、器具本体１の前後方向における両端部には、図１及び図２に示すように、エンドキャップ４がそれぞれ取り付けられている。
【００１６】
光源ユニット２は、図３に示すように、基板２２と、基板２２が取り付けられる取付部材２１と、基板２２を覆うようにして取付部材２１に取り付けられるカバー部材２３と、基板２２に所定の点灯電力を供給する電源装置（図示せず）とを有する。
【００１７】
基板２２は、前後方向（図３中の紙面に垂直な方向）に長い矩形板状に形成されたプリント基板２２１からなり、プリント基板２２１の下面には複数のＬＥＤ（発光ダイオード）２２２が前後方向（長手方向）に沿って実装されている。
【００１８】
取付部材２１は、板金に曲げ加工を施すことでＵ字状に形成され、長尺且つ矩形板状に形成された底面部２１１と、底面部２１１の左右方向における両端から上向きに延出する一対の側面部２１２とで構成される。各側面部２１２の先端には、図３に示すように、互いに離れる方向に傾斜する傾斜部２１２ａがそれぞれ全長に亘って設けられている。なお、上述の基板２２は、例えば取付部材２１の底面部２１１の一部を切り起こすことで形成された係止爪（図示せず）により取付部材２１に固定される。
【００１９】
カバー部材２３は、拡散性を有する材料（例えば乳白色のアクリル樹脂）により上面（取付部材２１側の面）が開口する長尺状に形成されている。このカバー部材２３は、左右方向において両端側から中央側に行くほど下側への突出量が大きくなるような凸レンズ形状の拡散面２３１を有している。
【００２０】
また、カバー部材２３の左右方向における両端部には、図３に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２１】
非常用光源部３は、図２に示すように、非常用光源３１と、電源装置３２と、非常用電源３３と、点検スイッチ３４と、モニタ用ランプ（図示せず）とを有する。
【００２２】
非常用光源３１は、図４（ａ）に示すように、発光ダイオード（ＬＥＤ）が実装された基板（図示せず）と、基板の前方に配置されるガラス製のレンズ３１１と、両端が開口する円管状に形成された放熱部材３１２とで構成される。そして、基板及びレンズ３１１は、レンズ３１１の出射面を露出させた状態で放熱部材３１２の筒内に配置される。この非常用光源３１は、図２に示すように、器具本体１の長手方向における一端部（図２中の左端部）に配置される。
【００２３】
電源装置３２は、例えば商用電源などの外部電源が正常に供給されている状態では商用電源により非常用電源３３を充電し、商用電源が停電になると非常用電源３３により非常用光源３１を点灯させる。この電源装置３２は、器具本体１の収容凹部１１内で且つ器具本体１の長手方向における一端部（図２中の左端部）に配置される。
【００２４】
非常用電源３３は、円筒状に形成されたケース３３１を有し、ケース３３１の内部には複数の蓄電池が収納されている。この非常用電源３３は、器具本体１１の収容凹部１１内で且つ器具本体１の長手方向における他端部（図２中の右端部）に配置される。
【００２５】
非常用光源３１の前方には、図４（ｂ）に示すように、矩形板状に形成された金属製のカバー１３が配置される。このカバー１３は、非常用光源３１のレンズ３１１との対向面に設けられた円形の孔１３１と、孔１３１の近傍に設けられ孔１３１よりも径の小さい円形の孔１３２，１３３とを有する。
【００２６】
点検スイッチ３４は、非常用電源３３が正常か否かを点検するためのものであり、点検スイッチ３４が押されると、定格時間の間、非常用電源３３による非常点灯が行われる。なお、点検動作については従来周知であり、ここでは詳細な説明を省略する。この点検スイッチ３４は、図４（ｂ）に示すように、カバー１３の孔１３２より露出している。
【００２７】
モニタ用ランプ（図示せず）は、非常用電源３３に正常に充電が行われているかどうか及び点検結果を表示するためのものであり、例えば非常用電源３３が正常である場合には点灯し、非常用電源３３が外れている場合には消灯し、非常用電源３３の交換時期が近い場合には点滅する。このモニタ用ランプは、カバー１３の孔１３３を臨んで配置される。
【００２８】
ここにおいて、光源ユニット２の取付部材２１の上面には、基板２２に点灯電力を供給する電源装置（図示せず）が配置されるが、本実施形態の照明器具１０では、器具本体１の長手方向における中央寄りに上記電源装置が配置される。そのため、器具本体１の長手方向における両端寄りの位置にはスペースＳ１が生じ、そのスペースＳ１に非常用光源部３の電源装置３２及び非常用電源３３を配置しているので、電源装置３２及び非常用電源３３は光源ユニット２に干渉しない。
【００２９】
このように、本実施形態の照明器具１０では、電源装置３２及び非常用電源３３を器具本体１の収容凹部１１内に収納している。そのため、器具本体１の長手方向における器具本体１外に電源装置３２及び非常用電源３３を配置した場合に比べて器具全体の長さ寸法を短くすることができる。
【００３０】
また、本実施形態の照明器具１０のように非常用光源部３を備えた場合には、商用電源が停電した場合でも非常用電源３３により非常用光源３１を点灯させることができる。さらに、図４（ｂ）に示すように、点検スイッチ３４及びモニタ用ランプを器具本体１の幅方向に並べて配置した場合には、器具全体の長さ寸法を短くすることができる。
【００３１】
図５は本実施形態の照明器具１０を模式的に表した側面図である。非常用光源３１から照射される光のうち、光源ユニット２における非常用光源３１側の端部（図５中の左端部）により遮光されない光Ｂ１が光軸Ｐ１となす角度θ１は６０度以上であるのが好ましい。本構成により、商用電源の停電時においても非常用光源３１による照射範囲を広く設定することができる。
【００３２】
次に、光源ユニット２の組立手順について説明する。まず最初に、作業者は、外部からの電源線が接続される端子台（図示せず）及び上記電源装置を取付部材２１の上面側に取り付け、さらに端子台と電源装置の間を電線により接続する。その後、作業者は、上記係止爪により基板２２を取付部材２１の底面部２１１に固定し、さらに基板２２上のコネクタ（図示せず）に接続された電線を取付部材２１の底面部２１１に設けた孔（図示せず）に通した後、その端部を上記電源装置に接続する。
【００３３】
そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａに引っ掛かり、カバー部材２３が取付部材２１に取り付けられる。以上のような手順に従って、光源ユニット２が組み立てられる。
【００３４】
続けて、照明器具１０の施工手順について説明する。まず最初に、作業者は、器具本体１の長手方向における一端部（図１（ｂ）中の左端部）に非常用光源３１を取り付け、さらに器具本体１の収容凹部１１内で且つ器具本体１の長手方向における一端部（図１（ｂ）中の左端部）に電源装置３２を取り付ける。
【００３５】
また、作業者は、器具本体１の収容凹部１１内で且つ器具本体１の長手方向における他端部（図１（ｂ）中の右端部）に非常用電源３３を取り付け、さらに非常用光源３１と電源装置３２の間、及び、電源装置３２と非常用電源３３の間を電線により接続する。
【００３６】
その後、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。
【００３７】
そして、作業者は、上記電源線を上記端子台に接続し、例えば器具本体１及び取付部材２１にそれぞれ設けた嵌合構造（図示せず）により光源ユニット２を器具本体１に取り付ける。なおこのとき、少なくとも上記電源装置が、器具本体１の収容凹部１１に収容される。以上のような手順に従って、照明器具１０が天井に施工される（図１（ａ）及び図３参照）。
【００３８】
なお、本実施形態では、器具本体１の収容凹部１１内における両端部に電源装置３２及び非常用電源３３を配置したが、電源装置３２及び非常用電源３３の位置は光源ユニット２と干渉しない位置であればよく、本実施形態に限定されない。また、上記角度θ１は６０度に限定されるものではなく、例えば６０度未満であってもよい。
【００３９】
さらに、本実施形態のように、非常用光源３１からの光Ｂ１が光源ユニット２により遮光されないように非常用光源３１を配置した場合には（図５参照）、非常用光源３１と光源ユニット２の端部との間にスペースができる。そのため、図６に示すように、上記スペースにおいて器具本体１の長手方向に沿って点検スイッチ３４及びモニタ用ランプを並べて配置することが可能となり、これにより点検スイッチ３４及びモニタ用ランプを実装する基板を小型化することができる。
【００４０】
本実施形態の照明器具１０は、器具本体１と、光源ユニット２と、非常用光源部３とを備える。器具本体１は、長尺状に形成され、天井材１００（造営材）に取り付けられる。光源ユニット２は、器具本体１に対して着脱自在に取り付けられる。非常用光源部３は、器具本体１に取り付けられ、商用電源（外部電源）の停電時に点灯する。器具本体１は、光源ユニット２の少なくとも一部が収容される収容凹部１１を天井材１００と反対側に有する。非常用光源部３は、非常用光源３１と、非常用電源３３と、電源装置３２とを有する。非常用電源３３は、商用電源の停電時に電力を供給する。電源装置３２は、商用電源が正常に供給されている状態では商用電源により非常用電源３３を充電し、商用電源が停電になると非常用電源３３により非常用光源３１を点灯させる。非常用光源３１は、器具本体１の長手方向における一端部に配置され、非常用電源３３及び電源装置３２は、器具本体１の収容凹部１１内で且つ光源ユニット２と干渉しない位置に配置される。
【００４１】
また、本実施形態の照明器具１０のように、非常用光源３１は、光源ユニット２の長手方向における非常用光源３１側の端部により非常用光源３１からの光が遮光されない位置に配置されるのが好ましい。
【符号の説明】
【００４２】
１  器具本体
２  光源ユニット
３  非常用光源部
１１  収容凹部
３１  非常用光源
３２  電源装置
３３  非常用電源
【図１】
2015088433.tif 000003
【図２】
2015088433.tif 000004
【図３】
2015088433.tif 000005
【図４】
2015088433.tif 000006
【図５】
2015088433.tif 000007
【図６】
2015088433.tif 000008